(57)【特許請求の範囲】
【請求項１】
フィールドバスを介してフィールド機器と接続され、自機と同セグメント上に存在する前記フィールド機器の識別情報および前記フィールド機器から受信したデータを一体形成される表示手段に表示する指示計において、
前記フィールド機器の種別に対応したアイコンを記憶する記憶手段と、
前記フィールド機器を前記アイコンにより表し、前記フィールドバスにおける前記フィールド機器の配置をグラフィカルに表すグラフィカル表示画面を生成し、前記表示手段に表示するグラフィカル表示手段、を備えたことを特徴とする指示計。
【請求項２】
前記グラフィカル表示手段は、前記グラフィカル表示画面上に、前記アイコンを選択指定するためのアイコン選択キー部を表示し、
前記アイコン選択キー部を介して前記アイコンが選択され決定されると、当該アイコンに対応する前記フィールド機器の識別情報および前記フィールド機器から受信したデータを文字により表示するテキスト表示画面を生成し、前記表示手段に表示するテキスト表示手段を備えたことを特徴とする請求項１記載の指示計。
【請求項３】
前記表示手段は、前記グラフィカル表示画面に表示される前記アイコンを選択指示するための入力手段と一体形成され、
前記入力手段を介して前記アイコンが選択され決定されると、当該アイコンに対応する前記フィールド機器の識別情報および前記フィールド機器から受信したデータを文字により表示するテキスト表示画面を生成し、前記表示手段に表示するテキスト表示手段を備えたことを特徴とする請求項１記載の指示計。
【請求項４】
前記フィールド機器の計装上の位置関係情報を上位の制御機器から取得する詳細情報取得手段を備え、
前記グラフィカル表示手段は、
この詳細情報取得手段により取得された前記位置関係情報に基づき、前記グラフィカル表示画面上で前記フィールド機器の計装上の位置関係を前記アイコンによりグラフィカルに表すことを特徴とする請求項１〜３のいずれかに記載の指示計。
【請求項５】
前記フィールド機器のフィールドバスへの接続状態を示す情報をフィールドバスを介して取得する接続状態情報収集手段を備え、
前記グラフィカル表示手段は、前記接続状態情報収集手段により取得された前記情報に基づき、前記グラフィカル表示画面上に、前記フィールドバスに過去に接続されていたが現在接続されていない前記フィールド機器を、過去の接続時であれば前記画面上に表されていた前記フィールドバス上の位置に、現在接続されているフィールド機器を表すアイコンとは異なる態様のアイコンにより表示することを特徴とする請求項１〜４のいずれかに記載の指示計。
【請求項６】
前記フィールド機器が出力するアラームをフィールドバスを介して取得するアラーム情報収集手段を備え、
前記記憶手段は、前記フィールド機器が出力するアラームの種別に対応したアラーム用のアイコンを記憶し、
前記グラフィカル表示手段は、前記アラーム情報収集手段により取得された前記アラームに基づき、前記グラフィカル表示画面上に、当該アラームを前記アラーム用のアイコンにより、当該アラームを出力した前記フィールド機器を表すアイコンに隣接させて表示することを特徴とする請求項１〜５のいずれかに記載の指示計。
【発明の詳細な説明】
【技術分野】
【０００１】
本発明は、フィールドバスを介してフィールド機器と接続され、自機と同セグメント上に存在するフィールド機器の識別情報およびフィールド機器から受信したデータを一体形成される表示手段に表示する指示計に関し、テキストベースの表示形式では困難であった、複数のフィールド機器の情報の眺覧、検索を簡易にするものである。
【背景技術】
【０００２】
図４は、従来の指示計の一例を示す機能説明図である。
現場指示計（以下、指示計という）１は、フィールドバス１００を介して複数のフィールド機器２１〜２４と接続される。
【０００３】
フィールドバス３０は、例えばFoundation Fieldbus（登録商標）やPROFIBUS（登録商標）等のデジタル伝送路や、BRAIN／HART通信等、デジタル信号を冗長した４−２０ｍＡのアナログ伝送路や、または工業用無線伝送路の経路により構成される。
【０００４】
フィールドバス３０は、Foundation Fieldbus通信形式を利用する場合には、同セグメント内のフィールド機器（指示計を含む）、合計３２台まで双方向通信を行うことができる(Foundation Fieldbusの仕様による)。
【０００５】
フィールド機器２１〜２３は、プロセス流体が流れる配管に取り付けられている。フィールド機器２１〜２３は、デジタル通信機能を備え、フィールドバス３０又はゲートウェイ（図示せず）を介して指示計１、上位機器であるホスト４０と通信し、プロセスの測定データやプロセスで発生するアラーム情報を送信する。
【０００６】
ここで、フィールド機器２１〜２３は、差圧計、流量計、温度計、監視カメラ、アクチュエータなどの各種フィールド機器である。
例えば、フィールド機器２１は差圧伝送器、フィールド機器２２は圧力伝送器であって、配管に取り付けられたオリフィスプレートで発生する差圧を測定する。フィールド機器２３は、温度計であって熱電対によってプロセス流体の温度を測定する。
これらのフィールド機器２１〜２３はフィールドバス３０を介して測定データやアラーム情報を上位機器に送信する。
【０００７】
なお、フィールド機器（図示せず）は、例えば無線式等のバッテリ駆動の差圧伝送器であって、ゲートウェイ（図示せず）を経由して、測定データやアラーム情報を上位機器に送信するものでもよい。
【０００８】
ホスト４０は、分散型制御システムやＰＬＣ等の上位の制御装置であって、フィールドバス３０を介してフィールド機器２１、２２、２３等からプロセス値を受け取り、バルブ等制御機器(図示せず)へ操作量を送信しプロセス制御を行う。
【０００９】
ホスト４０は、フィールドバス３０を介してフィールド機器２１〜２３等からのフィールド機器の故障情報やプロセスの異常状態をモニターし、記録する機能を有する。またホスト４０は、無線のゲートウェイを介して送られてくる無線式のフィールド機器の故障状態を監視可能とするものでもよい。
【００１０】
ここで、複数のフィールド機器には、一体形成された表示手段に測定値等が表示される。しかし、フィールド機器が作業員のアクセスしにくい場所に設置されている（例えば高所や危険雰囲気中に存在する）場合には、作業員は表示の確認が困難であった。
【００１１】
この問題に対して、従来、フィールド機器２１〜２３の各種パラメータを表示する指示計１を作業員がアクセスしやすい場所に設置して対処していた。
このため、作業員は、指示計１の表示を確認すれば、比較的安全な場所で、かつ複数の箇所を巡回せずに、１箇所にて複数のフィールド機器に一体形成された表示手段に表示された測定値等を読み取ることができる。
【００１２】
指示計１は現場型の指示計であって、特に図示しないが、フィールドバス３０を介して各フィールド機器２１〜２３とデータ通信を行う通信手段、本体に一体形成された表示手段、表示手段にフィールド機器の各種パラメータを表示する演算制御部を備える。
【００１３】
指示計１は、通信手段がフィールドバス３０上のデジタル信号を受け取り、フィールド機器２１〜２３が有する各種パラメータ(差圧、流量、温度など)を取得する。
指示計１は、演算制御手段が、取得した各種パラメータに基づきフィールド機器２１〜２３のいずれか一つ乃至複数の機器の測定値及びアラーム情報を表示手段に表示する。
【００１４】
具体的には、指示計１は、フィールドバス３０が例えばFoundation Fieldbusの場合、フィールド機器２１〜２３から定期的にpublisher／subscriber型の同期式通信により、フィールドバス３０に配布される情報を読み取る。指示計１は、読み取った情報に基づき、各フィールド機器の測定データやアラーム情報を表示する。
【００１５】
また、指示計１は、フィールドバス１００が例えばPROFIBUSの場合、フィールド機器２１〜２３から定期的にData Exchange等の方式により、フィールドバス３０に配布される情報を読み取る。指示計１は、読み取った情報に基づき、各フィールド機器の測定データやアラーム情報を表示する。
【００１６】
また、指示計１の表示手段は、取得した他のフィールド機器の情報を、「英数字」や「簡易的なグラフ」などで表示する。
また、指示計１は、取得した情報を閲覧する際、ボタンやジョグダイヤルなどの入力デバイス（図示せず）を介して入力される作業員（ユーザ）からの指示に基づき、文字ベースの表示画面を切り替え、目的の情報を検索する。
【００１７】
図４（Ｂ）に、フィールド機器２１〜２３の測定データやプロセス状態を、指示計１が表示する際の表示例を示す。
図４（Ｂ）の表示例では、フィールド機器２１のＴＡＧナンバー４５６７８９０１２、測定値−９８６５．４ｍｍＨ２Ｏ、プロセス状態ＡＩ１２３．ＯＵＴ−ＧＯＯＤ等の文字と数値からなる記号によって表されている。
【００１８】
たとえば、フィールド機器の状態または発生したアラームを表示する従来の指示計に関連する先行技術文献として下記の特許文献１がある。
【先行技術文献】
【特許文献】
【００１９】
【特許文献１】特開平５−１７４２７４号公報
【発明の概要】
【発明が解決しようとする課題】
【００２０】
しかしながら、従来の指示計は、表示形式がテキストベースであるため視認性、操作性に乏しく、フィールド機器から得られた多くの情報から作業員（ユーザー）が必要とする情報に素早くアクセスするためには非効率なインターフェースであり、以下の問題点があった。
（イ）テキストベースの表示であるので、複数接続されているフィールド機器の総数、機種などの情報の瞬間的な把握が困難であるという問題点があった。
（ロ）テキストベースの表示であるので、接続されている複数台のフィールド機器の状態（設定情報、アラーム情報など）の同時認識が困難であるという問題点があった。
（ハ）テキストベースの表示であるので、複数接続されているフィールド機器の内、どの機器をモニターしているかの判別が困難であるという問題点であった。
（ニ）テキストベースの表示であるので、閲覧したい情報の迅速な検索が困難であるという問題点があった。
（ホ）テキストベースの表示であるので、現場におけるフィールド機器の計装状態（位置関係や結線の状態）の表示画面における認識が不可能であるという問題点があった。
【００２１】
本発明は、このような問題点を解決するものであり、その目的は、テキストベースの表示形式では困難であった、複数のフィールド機器の情報の眺覧、検索を簡易にする指示計を実現することにある。
【課題を解決するための手段】
【００２２】
上記目的を達成するために、本発明のうち請求項１に記載の発明は、
フィールドバスを介してフィールド機器と接続され、自機と同セグメント上に存在する前記フィールド機器の識別情報および前記フィールド機器から受信したデータを一体形成される表示手段に表示する指示計において、
前記フィールド機器の種別に対応したアイコンを記憶する記憶手段と、
前記フィールド機器を前記アイコンにより表し、前記フィールドバスにおける前記フィールド機器の配置をグラフィカルに表すグラフィカル表示画面を生成し、前記表示手段に表示するグラフィカル表示手段、を備えたことを特徴とする指示計。
【００２３】
請求項２記載の発明は、請求項１に記載の指示計において、
前記グラフィカル表示手段は、前記グラフィカル表示画面上に、前記アイコンを選択指定するためのアイコン選択キー部を表示し、
前記アイコン選択キー部を介して前記アイコンが選択され決定されると、当該アイコンに対応する前記フィールド機器の識別情報および前記フィールド機器から受信したデータを文字により表示するテキスト表示画面を生成し、前記表示手段に表示するテキスト表示手段を備えたことを特徴とする。
【００２４】
請求項３記載の発明は、請求項１に記載の指示計において、
前記表示手段は、前記グラフィカル表示画面に表示される前記アイコンを選択指示するための入力手段と一体形成され、
前記入力手段を介して前記アイコンが選択され決定されると、当該アイコンに対応する前記フィールド機器の識別情報および前記フィールド機器から受信したデータを文字により表示するテキスト表示画面を生成し、前記表示手段に表示するテキスト表示手段を備えたことを特徴とする。
【００２５】
請求項４記載の発明は、請求項１〜３のいずれかに記載の指示計において、
前記フィールド機器の計装上の位置関係情報を上位の制御機器から取得する詳細情報取得手段を備え、
前記グラフィカル表示手段は、
この詳細情報取得手段により取得された前記位置関係情報に基づき、前記グラフィカル表示画面上で前記フィールド機器の計装上の位置関係を前記アイコンによりグラフィカルに表すことを特徴とする。
【００２６】
請求項５記載の発明は、請求項１〜４のいずれかに記載の指示計において、
前記フィールド機器のフィールドバスへの接続状態を示す情報をフィールドバスを介して取得する接続状態情報収集手段を備え、
前記グラフィカル表示手段は、前記接続状態情報収集手段により取得された前記情報に基づき、前記グラフィカル表示画面上に、前記フィールドバスに過去に接続されていたが現在接続されていない前記フィールド機器を、過去の接続時であれば前記画面上に表されていた前記フィールドバス上の位置に、現在接続されているフィールド機器を表すアイコンとは異なる態様のアイコンにより表示することを特徴とする。
【００２７】
請求項６記載の発明は、請求項１〜５のいずれかに記載の指示計において、
前記フィールド機器が出力するアラームをフィールドバスを介して取得するアラーム情報収集手段を備え、
前記記憶手段は、前記フィールド機器が出力するアラームの種別に対応したアラーム用のアイコンを記憶し、
前記グラフィカル表示手段は、前記アラーム情報収集手段により取得された前記アラームに基づき、前記グラフィカル表示画面上に、当該アラームを前記アラーム用のアイコンにより、当該アラームを出力した前記フィールド機器を表すアイコンに隣接させて表示することを特徴とする。
【発明の効果】
【００２８】
本発明によれば、フィールド機器の種別に対応したアイコンを記憶する記憶手段と、フィールド機器をアイコンにより表し、フィールドバスにおけるフィールド機器の配置をグラフィカルに表すグラフィカル表示画面を生成し、表示手段に表示するグラフィカル表示手段、を備えたことにより、テキストベースの表示形式では困難であった、複数のフィールド機器の配置関係、接続関係を把握することができる。
すわなち、本発明の指示計によれば、上述の構成とすることにより、アイコンによる視認性の高い表示方法を行うことで、ユーザーが、フィールドバス形現場指示計と同セグメント上にあるフィールド機器の台数、機種、計装上の位置などを、画面を見ただけで瞬間的に把握できる。
【００２９】
また、上述の構成とすることにより、現場でのフィールド機器の設置位置と対応付けることで、機器故障などが発生したときに、機器が設備のどこに設置されているかすばやく知ることができる。
【００３０】
また、請求項２、３によれば、グラフィカル表示手段がグラフィカル表示画面上にアイコンを選択指定するためのアイコン選択キー部を表示し（またはグラフィカル表示画面に表示されるアイコンを選択指示するための入力手段と一体形成され）、アイコン選択キー部（または入力手段）を介して前記アイコンが選択され決定されると、当該アイコンに対応するフィールド機器の識別情報およびフィールド機器から受信したデータを文字により表示するテキスト表示画面を生成し、表示手段に表示するテキスト表示制御手段を備えたことにより、テキストベースの表示形式では困難であった、複数のフィールド機器の情報の眺覧、検索を容易に行うことができる。
【００３１】
また、請求項４によれば、フィールド機器の計装上の位置関係情報を上位の制御機器から取得する詳細情報取得手段を備え、グラフィカル表示手段は、この詳細情報取得手段により取得された位置関係情報に基づき、グラフィカル表示画面上でフィールド機器の計装上の位置関係をアイコンによりグラフィカルに表すことにより、結線を画面上で確認できるので、配線の確認、メンテナンスが簡易になる。すなわち、作業者によるフィールド機器の現場での監視に役立つ。
【００３２】
請求項５によれば、接続状態情報収集手段がフィールド機器のフィールドバスへの接続状態を示す情報をフィールドバスを介して取得し、グラフィカル表示手段が接続状態情報収集手段により取得された情報に基づき、グラフィカル表示画面上に、フィールドバスに過去接続されていたが現在接続されていないフィールド機器を、過去の接続時であれば画面上に表されていたフィールドバス上の位置に表示することにより、機器の切断情報に基づいた機器故障等の早期発見に役立つ点で有効である。
すなわち、本発明に係る指示計は、機器故障などが発生したときに、機器が設備のどこに設置されているかを画面を見ただけで、素早く知ることができる点で有効である。
【００３３】
請求項６によれば、本発明に係る指示計は、アラーム情報収集手段がフィールド機器が出力するアラームをフィールドバスを介して取得し、グラフィカル表示手段がアラーム情報収集手段により取得されたアラームに基づき、グラフィカル表示画面上に、当該アラームをアラーム用のアイコンにより当該アラームを出力したフィールド機器を表すアイコンに隣接させて表示することにより、機器異常の早期発見に役立つ点で有効である。
すなわち、本発明に係る指示計は、機器故障などが発生したときに、機器が設備のどこに設置されているかを画面を見ただけで、素早く知ることができる点で有効である。
【図面の簡単な説明】
【００３４】
【図１】本発明の指示計の一実施例を示す構成説明図である。
【図２】指示計が表示するグラフィカル表示画面の一例の説明図である。
【図３】本発明に係る指示計のその他の実施例を示す構成説明図である。
【図４】従来の指示計の一例を示す機能説明図である。
【発明を実施するための形態】
【００３５】
＜第１の実施例＞
以下、図面を参照して、本発明を詳細に説明する。
図１は本発明の指示計の一実施例を示す構成説明図であり、図４と共通する部分は同一の符号を付し、適宜説明を省略する。図１（Ａ）は指示計全体の構成説明図、（Ｂ）は構成ブロック図である。
【００３６】
図１と図４との主な相違点は、記憶手段がフィールド機器の種別に対応したアイコンを記憶し、グラフィカル表示手段がフィールド機器をアイコンにより表し、フィールドバスにおけるフィールド機器の配置をグラフィカルに表すグラフィカル表示画面を生成し、表示手段に表示する点である。
【００３７】
（構成の概要）
図１において、現場指示計（以下、指示計という）６０は、フィールドバス１００を介して複数のフィールド機器２１〜２４と接続される。また指示計６０はホスト４０とも接続される。
【００３８】
フィールドバス１００は、例えばFoundation Fieldbus（登録商標）やPROFIBUS（登録商標）等のデジタル伝送路や、BRAIN／HART通信等、デジタル信号を冗長した４−２０ｍＡのアナログ伝送路や、または工業用無線伝送路の経路により構成される。
【００３９】
フィールド機器２１〜２３は、プロセス流体が流れる配管に取り付けられている。フィールド機器２１〜２３は、デジタル通信機能を備え、フィールドバス１００又はゲートウェイ（図示せず）を介して指示計６０、上位機器であるホスト４０と通信し、プロセスの測定データやプロセスで発生するアラーム情報を送信する。
【００４０】
ホスト４０は、分散型制御システムやＰＬＣ等の上位の制御装置であって、フィールドバス１００を介してフィールド機器２１、２２、２３等からプロセス値を受け取り、バルブ等制御機器（図示せず）へ操作量を送信しプロセス制御を行う。
またホスト４０は、予めフィールド機器２１〜２３の計装上の位置関係や結線などのデータを記憶している。
【００４１】
（指示計の構成の具体的な説明）
指示計６０は、主に、フィールドバス１００を介して各フィールド機器２１〜２３とデータ通信を行う通信手段６１、本体に一体形成されたディスプレイ等の表示手段６２、各手段を制御して指示計６０として動作させる制御手段６３、フィールド機器２１〜２３の種別に対応したアイコンを記憶する記憶手段６４、自機と同セグメント上に存在するフィールド機器２１〜２３をアイコンにより表し、フィールドバス１００におけるフィールド機器２１〜２３の配置をグラフィカルに表すグラフィカル表示画面を生成し、表示手段６２に表示するグラフィカル表示手段６５とを備える。
【００４２】
また指示計６０は、グラフィカル表示画面に表示されるアイコンの選択指示など、種々の操作を受ける入力手段６６を備える。入力手段６６は、タッチパネルとして、表示手段６２と一体に形成される。
【００４３】
グラフィカル表示手段６５は、グラフィカル表示画面上に、入力手段６６を介してタッチされるとアイコンを選択し、タッチの回数に応じて選択対象を変更するアイコン選択キー部６５ａ、６５ｂ、および、選択されたアイコンを決定するための決定キー部６５ｃを表示する。
【００４４】
アイコン選択キー部６５ａ、ｂおよび、決定キー部６５ｃは、フィールド機器の状態等を表す詳細な情報をテキストベース（文字）により表示させるアイコンを選択、決定するために表示されている。
【００４５】
指示計６０は、アイコン選択キー部６５ａ、６５ｂ、決定キー部６５ｃを介してアイコンが選択されると、当該アイコンに対応するフィールド機器の識別情報およびフィールド機器から受信したデータを文字により表示する「テキスト表示画面」を生成し、表示手段６２に表示するテキスト表示手段６７を備える。
【００４６】
また、本発明の指示計６０は、フィールド機器の計装上の位置関係情報を上位の制御機器から取得する詳細情報取得手段６８を備えるものでもよい。
この場合、グラフィカル表示手段６５は、詳細情報取得手段６８により取得された位置関係情報に基づき、グラフィカル表示画面上でフィールド機器２１〜２３の計装上の位置関係をアイコンによりグラフィカルに表示する。
【００４７】
なお、指示計６０は、各手段がケースに収納され、表示手段６２がケースの前面に設置される。
【００４８】
また、記憶手段６２に記憶されるアイコンは、図１のアイコンｉｃ１００、ｉｃ２００のような形状であって、一見してフィールド機器の種別が把握容易なものが望ましい。
【００４９】
また、入力手段６６は、アイコン選択キー部６５ａ、６５ｂ、決定キー部６５ｃへのタッチを介さず、直接アイコンをタッチして選択指示するなど種々の操作を受け付けるものでもよい。この場合、テキスト表示手段６７は、作業者により入力手段６６を介してアイコンが選択される（アイコンが直接タッチされる）と、テキスト表示画面を生成し、表示手段に表示するものでもよい。
【００５０】
また、本発明の指示計６０は、表示手段６２がグラフィカル表示画面とテキスト表示画面を同時に表示するものでもよい。
【００５１】
また、本発明の指示計６０は、表示手段６２の表示画面を、グラフィカル表示画面またはテキスト表示画面のいずれかを表示するか、グラフィカル表示画面とテキスト表示画面を同時に表示するかのいずれかに切り替える切替手段６９を備えるものでもよい。
【００５２】
また、本発明の指示計６０は、表示手段６２がアイコン選択キー部６５ａ、６５ｂ、選択決定キー部６５ｃを、アイコンを選択してテキスト表示させるように指示する時にのみ表示するものでもよい。
この場合、グラフィカル表示手段６５は、表示画面のいずれかの領域に作業者によるタッチが行われると、テキスト表示への指示があるものと判断して、表示手段６２がアイコン選択キー部６５ａ、６５ｂ、選択決定キー部６５ｃを表示するものでもよい。
【００５３】
なお本発明の指示計６０は、入力手段は、表示手段と一体に形成されるものでなくてもよく、タッチパネル以外にも、キー、ダイヤルなど、ユーザーが入力を行うことができる全てのデバイスを含む。
【００５４】
また、指示計６０は、ＣＰＵ（Central Processing Unit）などの指示計６０の機能を制御する演算制御部を備え、主に制御手段６３、グラフィカル表示手段６５、テキスト表示手段６７、詳細情報取得手段６８、切替手段６９の機能ブロックを有する。なお、これらの各手段はバスにより相互に接続されるようなそれぞれ独立した機器から構成されるものであってもよい。
【００５５】
ここで、演算制御部は、記憶手段６４に格納されているＯＳなどを起動して、このＯＳ上で格納されたプログラムを読み出し実行することにより各手段または指示計６０全体を制御し、指示計６０の動作を行う。
このとき記憶手段６４は、演算制御部によって実行されるプログラムやアプリケーションをプログラム格納エリアに展開し、入力されたデータや、プログラムやアプリケーションの実行時に生じる処理結果などのデータをワークエリアに一時的に記憶するものであってもよい。
【００５６】
（動作の説明）
上述のような構成で指示計６０は以下の動作（１）〜（５）を行う。
（１）指示計６０は、通信手段６１がフィールドバス１００を介してたとえばFoundation Fieldbus通信によりフィールド機器２１〜２３から情報を収集し、記憶手段６４に記憶する。
なお、フィールド機器２１〜２３から発せられるデータは直接フィールド機器から受信するものでなくてもよく、フィールドバス１００に接続される外部の記録デバイス（他のフィールド機器も含む）から受信するものでもよい。
（２）詳細情報取得手段６８が、フィールドバス１００を介してフィールド機器の計装上の位置関係情報をホスト４０等の上位の制御機器から取得する。
【００５７】
（３）グラフィカル表示手段６５は、通信手段６１が収集した情報に基づき、自機と同セグメント上に存在するフィールド機器２１〜２３について、フィールドバス１００における各機器の配置を表すグラフィカル表示画面を生成して、表示手段６２に表示する。
【００５８】
具体的には、グラフィカル表示手段６５は、通信手段６１が収集した情報のうち、たとえばフィールド機器２１〜２３のＴＡＧ番号に基づき、各フィールド機器の種別に対応するアイコンを選択しグラフィカル表示画面上に表示する。
また、グラフィカル表示手段６５は、詳細情報取得手段６８が収集した情報に基づき、グラフィカル表示画面上でフィールド機器２１〜２３の計装上の位置関係をアイコンによりグラフィカルに表示する。
【００５９】
なお、記憶手段６１が記憶するフィールド機器２１〜２３の位置関係のデータや配線のデータは、自動的にフィールド機器から送信されて更新され、またはユーザーが任意にアクセスすることにより更新され、グラフィカル表示に反映される。
【００６０】
（４）グラフィカル表示画面上で、詳細情報を表示させたいフィールド機器のアイコンが、作業者（ユーザ）からの入力手段６６へのタッチ入力（アイコン選択キー部６５ａ、６５ｂ、決定キー部６５ｃへの入力）により選択、決定される。
【００６１】
（５）アイコンが選択され決定されると、テキスト表示手段６７は、記憶手段６４に記憶される選択されたアイコンに対応するフィールド機器の詳細情報（たとえば識別情報およびフィールド機器から受信したデータ）を文字により表示するテキスト表示画面を生成し、表示手段６２に表示する。
【００６２】
なお、指示計６０の記憶手段６１が記憶しているフィールド機器の詳細情報は、自動的にフィールド機器から送信されて更新され、またはユーザーが任意にアクセスすることにより更新され、テキスト表示に反映される。
【００６３】
（表示画面の説明１）
図２は、指示計が表示するグラフィカル表示画面の一例の説明図である。
図２において、グラフィカル表示手段６５は表示手段６２に、フィールド機器２１、２２、２３をアイコンｉｃ１００、ｉｃ２００、ｉｃ３００により表し、フィールドバス１００（フィールド機器同士をつなぐ配線であり通信の信号伝送路）を線形状により表し、フィールドバス１００におけるフィールド機器２１〜２３の配置をアイコンにより表示する（グラフィカル表示画面）。
【００６４】
グラフィカル表示手段６５は、詳細情報取得手段６８により取得された位置関係情報に基づき、グラフィカル表示画面上でフィールド機器２２、２３の計装上の位置関係をアイコンｉｃ２００、ｉｃ３００によりグラフィカルに表示する。
【００６５】
また、特に図示しないが、表示手段６２は、フィールド機器２１〜２３のフィールドバスにおける配置状態だけでなく、状況に応じてメニュー項目やコマンド項目、操作キーなどが表示され、使用者のタッチ入力によって種々の操作を可能とする。
【００６６】
たとえば、図２の例では、表示画面の下部分にアイコン選択キー部６５ａ、６５ｂ、選択されたアイコンを決定するための決定キー部６５ｃが横一列に表示される。
なおアイコン選択キー部６５ａは、アイコンの選択ボタンとして機能し、左または右、上または下方向等に走査して対象（アイコン）を選択する。アイコン選択キー部６５ｂは、アイコンの選択ボタンとして機能し、右または左、下または上方向等（アイコン選択キー部６５ａの走査方向とは逆方向）に走査して対象（アイコン）を選択する。
【００６７】
また、グラフィカル表示手段６５は、表示手段６２に選択中のアイコンを指し示すポインタを表示する。
たとえば、図２において、作業者によるアイコン選択キー部６５ａへのタッチによりフィールド機器２１を表すアイコンｉｃ１００が選択されると、グラフィカル表示手段６５は、アイコンｉｃ１００の下側（または近傍）に矢印形状のポインタｐｔ１００を表示する。
【００６８】
なお、この矢印形状のポインタは、フィールド機器に対応するアイコンを選択していることを示すことができれば、矢印形状に限定するものではなくどのような形状でもよい。
また、フィールド機器が選択されていることを示す方法は、ポインタ以外にも、アイコンの点滅など、画面上の他のアイコンとの差異を視覚的に認識できる表示方法であれば何でもよい。
【００６９】
このため、選択されたアイコンはポインタの表示により、選択されている状態であることが視覚的にわかる。
【００７０】
（表示画面の説明２）
一方、テキスト表示手段６６は、グラフィカル表示画面上の決定キー部６５ｃに作業者によるタッチ入力がなされると、選択されていたアイコンに対応するフィールド機器の識別情報および当該フィールド機器から受信したデータを文字により表示するテキスト表示画面を表示する。
テキスト表示手段６６は、たとえば、フィールド機器２１〜２３の自己診断機能によって診断された機器の故障状態や、プロセス異常状態をテキスト形式で表示する。
【００７１】
たとえばフィールド機器２１のアイコンｉｃ１００が選択決定されると、テキスト表示手段６６は、フィールド機器２１のＴＡＧナンバー４５６７８９０１２、測定値−９８６５．４ｍｍＨ２Ｏ、プロセス状態ＡＩ１２３．ＯＵＴ−ＧＯＯＤ等の文字と数値をテキスト形式で表示手段６２に表示する。
また、圧力値の測定範囲外の警報が発生していれば、テキスト表示手段６６は、フィールド機器２１のセンサ部分の故障及び配管内の圧力値の測定範囲外の警報等をＥＲＲ．０１、ＷＲＮ．３０等の文字と数値をテキスト形式で表示手段６２によって表す。
【００７２】
このため、ユーザーは、表示手段６２に表示されたテキスト形式によるフィールド機器の状態を詳細に確認できるので、当該フィールド機器の取扱説明書に基づき、テキスト表示が示す故障ないし警報の内容と、対応策を知ることができる。
【００７３】
この結果、本発明に係る指示計は、フィールド機器の種別に対応したアイコンを記憶する記憶手段と、フィールド機器をアイコンにより表し、フィールドバスにおけるフィールド機器の配置をグラフィカルに表すグラフィカル表示画面を生成し、表示手段に表示するグラフィカル表示手段を備えたことにより、テキストベースの表示形式では困難であった、複数のフィールド機器の配置関係、接続関係を把握することができる。
【００７４】
また、本発明の指示計は、上述の構成とすることにより、アイコンによる視認性の高い表示方法を行うことで、ユーザーが、フィールドバス形現場指示計と同セグメント上にあるフィールド機器の台数、機種、計装上の位置などを、画面を見ただけで瞬間的に把握できる。
【００７５】
つまり、本発明の指示計は、アイコンベースのＧＵＩを用い、フィールド機器の接続台数や複数台の機器の状態を同時に知ることができる情報を一画面に盛り込むことで、ユーザーが、フィールドバス形現場指示計と同セグメント上にあるフィールド機器の台数、機種、計装上の位置などを、画面を見ただけで瞬間的に把握できる。
【００７６】
また、本発明の指示計は、上述の構成とすることにより、現場でのフィールド機器の設置位置と対応付けることで、機器故障などが発生したときに、機器が設備のどこに設置されているか素早く知ることができる。
【００７７】
また、本発明の指示計は、上述の構成とすることにより、結線を画面上で確認できるので、配線の確認、メンテナンスが簡易になる。すなわち、作業者によるフィールド機器の現場での監視に役立つ。
【００７８】
また、本発明の指示計は、グラフィカル表示手段がグラフィカル表示画面上にアイコンを選択指定するためのアイコン選択キー部を表示し（またはグラフィカル表示画面に表示されるアイコンを選択指示するための入力手段と一体形成され）、アイコン選択キー部（または入力手段）を介して前記アイコンが選択され決定されると、当該アイコンに対応するフィールド機器の識別情報およびフィールド機器から受信したデータを文字により表示するテキスト表示画面を生成し、表示手段に表示するテキスト表示制御手段を備えたことにより、テキストベースの表示形式では困難であった、複数のフィールド機器の情報の眺覧、検索を容易に行うことができる。
【００７９】
また、本発明の指示計は、上述の構成とすることにより、目的とするフィールド機器の情報を素早く検索することができる。
【００８０】
＜第２の実施例＞
なお、本発明の指示計は、第１の実施例の構成に加えて、接続されているフィールド機器がユーザーに知らせるべき何らかの特異な情報（接続／切断状態情報、アラーム情報等）を有する場合、グラフィカル表示手段がグラフィカルにそれらの情報を表示して視覚的に伝えるものでもよい。
【００８１】
図３は、本発明に係る指示計のその他の実施例を示す構成説明図であり、図１と共通する部分は同一の符号を付し、適宜説明を省略する。（Ａ）は構成ブロック図、（Ｂ）はグラフィカル表示画面の一例である。
たとえば指示計６０は、図３に示すようにフィールドバス１００への接続状態を収集する接続状態情報収集手段７０、フィールド機器のアラーム情報を収集するアラーム情報収集手段７１の少なくともいずれかを有するものでよい。
【００８２】
接続状態情報収集手段７０は、通信手段６１を介してフィールド機器２１〜２３からフィールドバス１００への接続状態を収集する。
接続状態情報収集手段７０は、収集結果（接続されている状態、切断されている状態等の情報）を記憶手段６４に記憶する。
【００８３】
アラーム情報収集手段７１は、通信手段６１を介してフィールド機器２１〜２３からのアラーム情報を収集する。
アラーム情報収集手段７１は、収集結果（アラーム情報）を記憶手段６４に記憶する。
【００８４】
グラフィカル表示手段６５は、自機と同セグメント上に存在するフィールド機器２１〜２３について、グラフィカル表示画面を生成して、表示手段６２に表示する。
このとき、グラフィカル表示手段は、接続状態情報収集手段７０、アラーム情報収集手段７１の少なくともいずれかにより収集された情報に基づき、接続状態またはアラーム状態をグラフィカル表示画面に表示する。
以下、特に「接続状態の表示」、「アラーム情報の表示」について具体的に説明する。
【００８５】
（接続状態の表示について）
グラフィカル表示手段６５は、接続状態情報収集手段７０が収集した情報に基づいて、グラフィカル表示画面上に、フィールドバス１００に「過去」接続されていたが現在接続されていないフィールド機器を、過去の接続時であれば画面上に表されていたフィールドバス１００上の位置に表示する。
【００８６】
なお、グラフィカル表示手段６５は、現在接続されているフィールド機器を表すアイコンとは異なる態様のアイコンにより、「過去」接続されていたが現在接続されていないフィールド機器を、表示する。
グラフィカル表示手段６５は、例えば図３（Ｂ）のように、現在接続されているフィールド機器を表すアイコンを「実線」で表示し（ｉｃ３００）、過去接続されていたが現在接続されていないフィールド機器を表すアイコンを「破線」で表示する（ｉｃ１０１）。
また、記憶手段６４は、予めフィールド機器２１〜２３の接続状態に対応したアイコンを記憶している。
【００８７】
この結果、本発明に係る指示計は、接続状態情報収集手段がフィールド機器のフィールドバスへの接続状態を示す情報をフィールドバスを介して取得し、グラフィカル表示手段が接続状態情報収集手段により取得された情報に基づき、グラフィカル表示画面上に、フィールドバスに過去接続されていたが現在接続されていないフィールド機器を、過去の接続時であれば画面上に表されていたフィールドバス上の位置に表示することにより、機器の切断情報に基づいた機器故障等の早期発見に役立つ点で有効である。
すなわち、本発明に係る指示計は、機器故障等（たとえば、物理的にはフィールドバスに接続しているが、故障によりデータ通信ができないような故障のケース等）が発生したときに、機器が設備のどこに設置されているかを画面を見ただけで、素早く知ることができる点で有効である。
【００８８】
（アラーム情報の表示について）
グラフィカル表示手段６５は、アラーム情報収集手段７１が収集（取得）した情報（アラーム）に基づいて、グラフィカル表示画面上に、当該アラームを（記憶手段６４に記憶されている）アラーム用のアイコンにより、当該アラームを出力したフィールド機器を表すアイコンに隣接させて表示する。
また、記憶手段６４は、予めフィールド機器２１〜２が出力するアラームの種別に対応したアラーム用のアイコンを記憶する。
【００８９】
たとえば図３（Ｂ）のように、グラフィカル表示手段６５は、フィールド機器２３からのアラームに基づき、フィールド機器２３を示すアイコンｉｃ３００に隣接させて、アラーム用のアイコンｉｃ３０１を表示する。
【００９０】
この結果、本発明に係る指示計は、アラーム情報収集手段がフィールド機器が出力するアラームをフィールドバスを介して取得し、グラフィカル表示手段がアラーム情報収集手段により取得されたアラームに基づき、グラフィカル表示画面上に、当該アラームをアラーム用のアイコンにより当該アラームを出力したフィールド機器を表すアイコンに隣接させて表示することにより、機器異常の早期発見に役立つ点で有効である。
すなわち、本発明に係る指示計は、機器故障などが発生したときに、機器が設備のどこに設置されているかを画面を見ただけで、素早く知ることができる点で有効である。
【００９１】
なお、本発明に係る指示計は、ユーザーが入手したい情報を事前に設定しておき、設定に基づきフィールドバス１００を介しフィールド機器２１〜２３から情報を収集する情報収集手段７２を有するものでもよい。この場合、制御手段６３は情報収集手段７２の取得した情報に基づきフィールド機器２１〜２３のパラメータを解析、判定させ、グラフィカル表示手段６５は結果を表示に反映させるものでもよい。
また、本発明に係る指示計は、入力手段６６を介して指示入力することにより、アイコンの種類（形状や色の変化）や表示位置をユーザーの所望のアイコン、表示位置にカスタマイズできるものでもよい。
【００９２】
また、本発明に係る指示計は、例えばFoundation FieldbusのClient-Server機能や、PROFIBUSのMS2通信機能や、HARTのコマンドレスポンス型通信機能を備え、かつ、指示計６０にＤＤ(Device Description)がインストールされている場合には、このＤＤ情報を基に、フィールド機器２１〜２３と１対１通信を行い、各フィールド機器の自己診断情報を表すパラメータにアクセスし、取得した情報とＤＤに記載された情報を照合することで、ＤＤに記載された文字列を各フィールド機器の自己診断結果として表示することができるものでもよい。
【００９３】
（付記項７）
前記表示手段は、
前記グラフィカル表示画面と、前記テキスト表示画面を同時に表示することを特徴とする請求項１〜６のいずれかに記載の測定装置。
（付記項８）
前記表示手段がタッチパネルで構成されたことを特徴とする請求項１〜７のいずれかに記
載の測定装置。
（付記項９）
前記表示手段は、前記アイコン選択キー部を、前記アイコンを選択指示する時にのみ表示することを特徴とする請求項１〜７のいずれかに記載の測定装置。
【符号の説明】
【００９４】
２１〜２３  フィールド機器
４０  ホスト
６０  （現場）指示計
６１  通信手段
６２  表示手段
６３  制御手段
６４  記憶手段
６５  グラフィカル表示手段
６６  入力手段
６７  テキスト表示手段
６８  詳細情報取得手段
６９  切替手段
７０  接続状態情報収集手段
７１  アラーム情報収集手段
【図２】
0005459130.tif 000002
【図３】
0005459130.tif 000003
【図１】
0005459130.tif 000004
【図４】
0005459130.tif 000005